(57)【要約】【課題】移動局自身のメールアドレスを相手端末に電子メールで通知する場合は、自身の電子メールアドレス通知を電子メール送信によって行う移動局は、相手端末の電子メールアドレスが不明であると通知できない。【解決手段】記憶装置３は予め各移動局の電話番号やメールアドレスを記憶している。着信側の移動局７Ａが着信不可の場合、ＣＰＵ２は、既存の留守番電話サービスを利用し、発信側の移動局７Ａに対し着信不可及びメッセージ受付のガイダンスを送信し、これに応答して移動局７Ａから送信されたメッセージを音声蓄積装置４に登録する。また、ＣＰＵ２は、移動局７Ａの電話番号と電子メールアドレスを記憶装置３から読み出してＤ／Ａ変換装置５によりアナログ音声信号に変換する。このアナログ音声信号は、移動局７Ｂからのメッセージ要求に応じて、移動局７Ａからのメッセージと共に移動局７Ｂに送信する。【選択図】図１
2007259086.tif 000002
【特許請求の範囲】
【請求項１】
発信側端末が自身のメールアドレス及び／又は電話番号の端末情報を、移動局である着信側端末に交換機を介して通知する端末情報通知方法であって、
前記発信側端末が前記着信側端末に対して発呼したとき、前記着信側端末が圏外又は電源オフであるために前記交換機が着信不可であることを検出したとき、着信不可及びメッセージ受付を通知するガイダンスを前記発信側端末へ送信する第１のステップと、
前記ガイダンスを受信した前記発信側端末からのメッセージを受信して、前記交換機内の音声蓄積手段に記憶する第２のステップと、
予め複数の端末の前記端末情報を記憶している前記交換機内の記憶手段から、前記発信側端末の端末情報を読み出してアナログ音声信号に変換する第３のステップと、
前記アナログ音声信号を前記音声蓄積手段に蓄積された前記発信側端末からのメッセージと関連付けて蓄積する第４のステップと、
前記着信側端末からの自身宛てのメッセージ読み出し要求を受信したときには、前記音声蓄積手段に前記第４のステップで蓄積した前記発信側端末からのメッセージと前記アナログ音声信号とを読み出して、前記着信側端末へ送信する第５のステップと
を含むことを特徴とする端末情報通知方法。
【請求項２】
前記第１のステップ及び第２のステップは、既存の留守番電話サービスを利用して、前記ガイダンスの送信と前記メッセージの前記音声蓄積手段への記憶を行うことを特徴とする請求項１記載の端末情報通知方法。
【請求項３】
会議装置に接続された交換機により、発信側端末が自身のメールアドレス及び／又は電話番号の端末情報を着信側端末に通知する端末情報通知方法であって、
前記発信側端末が前記着信側端末に対して特番を付加して発呼したことを前記交換機が検出する第１のステップと、
前記特番を付加した発呼の検出により、前記発信側端末と前記着信側端末との間の通話路を確立して、前記発信側端末及び前記着信側端末からの呼を前記会議装置に転送する第２のステップと、
前記会議装置と前記交換機内の音声蓄積手段とを接続する第３のステップと、
予め複数の端末の前記端末情報を記憶している前記交換機内の記憶手段から、前記発信側端末の端末情報を読み出してアナログ音声信号に変換する第４のステップと、
前記アナログ音声信号を前記音声蓄積手段に蓄積された前記会議装置からの音声情報と関連付けて蓄積する第５のステップと、
前記音声蓄積手段に前記第５のステップで蓄積した前記音声情報と前記アナログ音声信号とを読み出して、前記着信側端末へ送信する第６のステップと
を含むことを特徴とする端末情報通知方法。
【請求項４】
発信側端末が自身のメールアドレス及び／又は電話番号の端末情報を、移動局である着信側端末に通知する交換機であって、
前記発信側端末が前記着信側端末に対して発呼したとき、前記着信側端末が圏外又は電源オフであるために着信不可であることを検出したとき、着信不可及びメッセージ受付を通知するガイダンスを前記発信側端末へ送信するガイダンス送信手段と、
音声信号及びメッセージを蓄積する音声蓄積手段と、
前記ガイダンスを受信した前記発信側端末から送信されたメッセージを受信してそのメッセージを前記音声蓄積手段に蓄積する第１の蓄積制御手段と、
予め複数の端末の前記端末情報を記憶している記憶手段と、
前記音声蓄積手段に蓄積された前記メッセージの送信元の前記発信側端末の端末情報を前記記憶手段から読み出してアナログ音声信号に変換するＤ／Ａ変換手段と、
前記アナログ音声信号を前記音声蓄積手段に蓄積された前記発信側端末からの前記メッセージの音声信号と関連付けて蓄積する第２の蓄積制御手段と、
前記着信側端末からの自身宛てのメッセージ読み出し要求を受信したときには、前記音声蓄積手段に蓄積されている前記発信側端末からのメッセージと前記アナログ音声信号とを読み出して、前記着信側端末へ送信する送信手段と
を有することを特徴とする交換機。
【請求項５】
前記ガイダンス送信手段と前記第１の蓄積制御手段は、既存の留守番電話サービスを利用して、前記ガイダンスの送信と前記メッセージの前記音声蓄積手段への記憶を行うことを特徴とする請求項４記載の交換機。
【請求項６】
発信側端末が自身のメールアドレス及び／又は電話番号の端末情報を、移動局である着信側端末に通知すると共に、会議装置に接続された交換機であって、
前記発信側端末が前記着信側端末に対して特番を付加して発呼したことを検出する検出手段と、
音声信号及びメッセージを蓄積する音声蓄積手段と、
前記特番を付加した発呼の検出により、前記発信側端末と前記着信側端末との間の通話路を確立して、前記発信側端末及び前記着信側端末からの呼を前記会議装置に転送すると共に、前記会議装置と前記交換機内の音声蓄積手段とを接続する通話路設定手段と、
予め複数の端末の前記端末情報を記憶している記憶手段と、
前記記憶手段から、前記発信側端末の端末情報を読み出してアナログ音声信号に変換するＤ／Ａ変換手段と、
前記アナログ音声信号を前記音声蓄積手段に蓄積された前記発信側端末からの前記メッセージの音声信号と関連付けて蓄積する蓄積制御手段と、
前記音声蓄積手段に蓄積されている前記会議装置からの音声情報と前記アナログ音声信号とを読み出して、前記着信側端末へ送信する送信手段と
を有することを特徴とする交換機。
【請求項７】
最寄りの基地局との間で無線通信すると共に、交換機及び前記基地局を介して相手端末と通信する機能と、メール送受信機能とを備えた移動局において、
前記交換機から前記基地局を経由して、発信側端末からの端末情報が変換されたアナログ音声信号が付加された発信側端末からの音声情報を受信する受信手段と、
前記受信手段により受信した音声情報中の前記アナログ音声信号をデジタル信号に変換して前記発信側端末からの端末情報を取得するＡ／Ｄ変換手段と
を有することを特徴とする移動局。
【請求項８】
前記Ａ／Ｄ変換手段により取得された前記端末情報を、自動的に記憶部に記憶する手段を更に有することを特徴とする請求項７記載の移動局。
【発明の詳細な説明】
【技術分野】
【０００１】
本発明は端末情報通知方法並びにそれに用いる交換機及び移動局に係り、特に電子メールの送受信機能を備えた携帯電話などの移動局によるメールアドレスなどの端末情報の通知方法並びにそれに用いる交換機及び移動局に関する。
【背景技術】
【０００２】
電子メールの送受信機能を備えた携帯電話などの移動局は、自身の電子メールアドレスを電子メールの送受信によって相手端末へ通知するのが一般的である。また、移動局が相手端末と通話中に、相手端末から問い合わせのあった、移動局の電話帳に登録されているメールアドレスを相手端末へ通知する場合、電話帳データの各文字毎の予め登録されている音声データを、順次通話中の相手端末へ送信することで、通話中の相手端末に対して、問い合わせのあったメールアドレスなどを音声で通知することが可能な移動局が知られている（例えば、特許文献１参照）。
【０００３】
【特許文献１】特開２００４−５６５１８号公報
【発明の開示】
【発明が解決しようとする課題】
【０００４】
しかしながら、移動局自身のメールアドレスを相手端末に電子メールで通知する場合は、自身の電子メールアドレス通知を電子メール送信によって行う移動局は、相手端末の電子メールアドレスが不明であると通知できないという問題がある。
【０００５】
また、上記の特許文献１記載の移動局では、相手端末と通話中でなければ、電話帳に登録されているメールアドレスを音声で通知することができず、また、相手端末と通話中であっても、電話帳に自身のメールアドレスが登録されていない場合は、相手端末にメールアドレスを音声で通知することができない。
【０００６】
更に、音声で通知した場合、通知された電子メールアドレスは、聞き取りと手入力によって登録するため、手動により誤りを回避できないという問題もある。
【０００７】
本発明は以上の点に鑑みなされたもので、音声信号を利用して移動局自身の電子メールアドレスや電話番号などの端末情報を通知し得る端末情報通知方法並びにそれに用いる交換機及び移動局を提供することを目的とする。
【課題を解決するための手段】
【０００８】
上記の目的を達成するため、本発明の端末情報通知方法は、発信側端末が自身のメールアドレス及び／又は電話番号の端末情報を、移動局である着信側端末に交換機を介して通知する端末情報通知方法であって、発信側端末が着信側端末に対して発呼したとき、着信側端末が圏外又は電源オフであるために交換機が着信不可であることを検出したとき、着信不可及びメッセージ受付を通知するガイダンスを発信側端末へ送信する第１のステップと、ガイダンスを受信した発信側端末からのメッセージを受信して、交換機内の音声蓄積手段に記憶する第２のステップと、予め複数の端末の端末情報を記憶している交換機内の記憶手段から、発信側端末の端末情報を読み出してアナログ音声信号に変換する第３のステップと、アナログ音声信号を音声蓄積手段に蓄積された発信側端末からのメッセージと関連付けて蓄積する第４のステップと、着信側端末からの自身宛てのメッセージ読み出し要求を受信したときには、音声蓄積手段に第４のステップで蓄積した発信側端末からのメッセージとアナログ音声信号とを読み出して、着信側端末へ送信する第５のステップとを含むことを特徴とする。
【０００９】
この発明では、着信側端末が圏外又は電源オフであるために着信不可であるときは、発信側端末のメールアドレス及び／又は電話番号を示す端末情報をアナログ音声信号に変換して、それを発信側端末からのメッセージと共に着信側端末へ送信するようにしたため、発信側端末の端末情報を確実に着信側端末で受信させることができる。
【００１０】
また、上記の目的を達成するため、本発明の端末情報通知方法は、第１のステップ及び第２のステップは、既存の留守番電話サービスを利用して、ガイダンスの送信とメッセージの音声蓄積手段への記憶を行うことを特徴とする。この発明では、既存の留守番電話サービスを利用しているため、端末情報の通知を比較的簡単に実現することができる。
【００１１】
また、上記の目的を達成するため、本発明の端末情報通知方法は、会議装置に接続された交換機により、発信側端末が自身のメールアドレス及び／又は電話番号の端末情報を着信側端末に通知する端末情報通知方法であって、発信側端末が着信側端末に対して特番を付加して発呼したことを交換機が検出する第１のステップと、特番を付加した発呼の検出により、発信側端末と着信側端末との間の通話路を確立して、発信側端末及び着信側端末からの呼を会議装置に転送する第２のステップと、会議装置と交換機内の音声蓄積手段とを接続する第３のステップと、予め複数の端末の端末情報を記憶している交換機内の記憶手段から、発信側端末の端末情報を読み出してアナログ音声信号に変換する第４のステップと、アナログ音声信号を音声蓄積手段に蓄積された会議装置からの音声情報と関連付けて蓄積する第５のステップと、音声蓄積手段に第５のステップで蓄積した音声情報とアナログ音声信号とを読み出して、着信側端末へ送信する第６のステップとを含むことを特徴とする。
【００１２】
この発明では、発信側端末の端末情報をアナログ音声信号に変換して会議装置からの音声情報と共に着信側端末へ送信することにより、通話中での通知を実現しているので、留守番電話サービスを用いなくても、電子メールアドレスや電話番号の通知が実施可能である。
【００１３】
また、上記の目的を達成するため、本発明の交換機は、発信側端末が自身のメールアドレス及び／又は電話番号の端末情報を、移動局である着信側端末に通知する交換機であって、発信側端末が着信側端末に対して発呼したとき、着信側端末が圏外又は電源オフであるために着信不可であることを検出したとき、着信不可及びメッセージ受付を通知するガイダンスを発信側端末へ送信するガイダンス送信手段と、音声信号及びメッセージを蓄積する音声蓄積手段と、ガイダンスを受信した発信側端末から送信されたメッセージを受信してそのメッセージを音声蓄積手段に蓄積する第１の蓄積制御手段と、予め複数の端末の端末情報を記憶している記憶手段と、音声蓄積手段に蓄積されたメッセージの送信元の発信側端末の端末情報を記憶手段から読み出してアナログ音声信号に変換するＤ／Ａ変換手段と、アナログ音声信号を音声蓄積手段に蓄積された発信側端末からのメッセージの音声信号と関連付けて蓄積する第２の蓄積制御手段と、着信側端末からの自身宛てのメッセージ読み出し要求を受信したときには、音声蓄積手段に蓄積されている発信側端末からのメッセージとアナログ音声信号とを読み出して、着信側端末へ送信する送信手段とを有することを特徴とする。
【００１４】
この発明では、着信側端末が圏外又は電源オフであるために着信不可であるときは、発信側端末のメールアドレス及び／又は電話番号を示す端末情報をアナログ音声信号に変換して、それを発信側端末からのメッセージと共に着信側端末へ送信するようにしたため、発信側端末の端末情報を確実に着信側端末で受信させることができる。
【００１５】
また、上記の目的を達成するため、本発明の交換機は、ガイダンス送信手段と第１の蓄積制御手段は、既存の留守番電話サービスを利用して、ガイダンスの送信とメッセージの音声蓄積手段への記憶を行うことを特徴とする。この発明では、既存の留守番電話サービスを利用しているため、端末情報の通知を比較的簡単に実現することができる。
【００１６】
また、上記の目的を達成するため、本発明の交換機は、発信側端末が自身のメールアドレス及び／又は電話番号の端末情報を、移動局である着信側端末に通知すると共に、会議装置に接続された交換機であって、発信側端末が着信側端末に対して特番を付加して発呼したことを検出する検出手段と、音声信号及びメッセージを蓄積する音声蓄積手段と、特番を付加した発呼の検出により、発信側端末と着信側端末との間の通話路を確立して、発信側端末及び着信側端末からの呼を会議装置に転送すると共に、会議装置と交換機内の音声蓄積手段とを接続する通話路設定手段と、予め複数の端末の端末情報を記憶している記憶手段と、記憶手段から、発信側端末の端末情報を読み出してアナログ音声信号に変換するＤ／Ａ変換手段と、アナログ音声信号を音声蓄積手段に蓄積された発信側端末からのメッセージの音声信号と関連付けて蓄積する蓄積制御手段と、音声蓄積手段に蓄積されている会議装置からの音声情報とアナログ音声信号とを読み出して、着信側端末へ送信する送信手段とを有することを特徴とする。
【００１７】
この発明では、発信側端末の端末情報をアナログ音声信号に変換して会議装置からの音声情報と共に着信側端末へ送信することにより、通話中での通知を実現しているので、留守番電話サービスを用いなくても、電子メールアドレスや電話番号の通知が実施可能である。
【００１８】
また、上記の目的を達成するため、本発明の移動局は、最寄りの基地局との間で無線通信すると共に、交換機及び基地局を介して相手端末と通信する機能と、メール送受信機能とを備えた移動局において、交換機から基地局を経由して、発信側端末からの端末情報が変換されたアナログ音声信号が付加された発信側端末からの音声情報を受信する受信手段と、受信手段により受信した音声情報中のアナログ音声信号をデジタル信号に変換して発信側端末からの端末情報を取得するＡ／Ｄ変換手段とを備えたことを特徴とする。
【００１９】
また、本発明の移動局は、上記のＡ／Ｄ変換手段により取得された端末情報を、自動的に記憶部に記憶する手段を更に有することを特徴とする。この発明では、端末情報を手入力により記録するのではなく、自動的に記憶するので、手入力による誤りを回避できる。
【発明の効果】
【００２０】
本発明によれば、発信側端末のメールアドレス及び／又は電話番号を示す端末情報をアナログ音声信号に変換して、それを発信側端末からのメッセージなどの音声情報と共に着信側端末へ送信することにより、発信側端末の端末情報を確実に着信側端末で受信させるようにしたため、着信側端末のメールアドレスが分からなくても、発信側端末のメールアドレスや電話番号を着信側端末に通知することができる。
【発明を実施するための最良の形態】
【００２１】
次に、本発明の実施の形態について図面と共に説明する。図１は本発明になる交換機の一実施の形態を含む音声通信網を示す。同図において、電子交換機は、スイッチ部１と、中央処理装置（ＣＰＵ）２と、記憶装置３と、音声蓄積装置４と、Ｄ／Ａ変換装置５とからなり、基地局６に接続されている。移動局７Ａ、７Ｂは基地局６との間で無線通信し、基地局６から移動局７Ａ、７Ｂからの音声信号やメールデータがスイッチ部１に入力される。
【００２２】
スイッチ部１は、本構成要素に収容される端末間や各種装置との間のスイッチを接続切断操作する。ＣＰＵ２は、記憶装置３に収容されたプログラムを読み出し、そのプログラムに従ってスイッチ部１、記憶装置３、及びスイッチ部１に収容される音声蓄積装置４、Ｄ／Ａ変換装置５、基地局６を制御する。
【００２３】
記憶装置３は、ＣＰＵ２の制御に基づき、プログラム、加入者データ等、ＣＰＵ２が回線交換動作を行うのに必要なデータを読み出し、書き込みを行う。移動局７Ａ及び移動局７Ｂは、基地局６との無線通信を行う。音声蓄積装置４は、各種ガイダンス用音声信号及びスイッチ部１からの音声信号の蓄積、更に蓄積された音声信号をスイッチ部１へ送出する。Ｄ／Ａ変換装置５は、入力されたデジタルデータを音声信号に変換して出力する。
【００２４】
図１の移動局７Ａ、７Ｂはそれぞれ同一構成で、例えば図２のブロック図に示す構成とされている。図２において、移動局７Ａ（７Ｂ）は、中央制御部１０、呼処理部１１、無線送受信部１２、Ａ／Ｄ変換部１３、キー入出力部１４、音声入出力部１５及び記憶部１６が双方向のバスを介して接続されている。ここで、中央制御部１０は、記憶部１６に記憶されたプログラムを読み出し、そのプログラムに従って本実施の形態が示す各種機能を制御する。呼処理部１１は、音声通信を行うための呼制御を行う。無線送受信部１２は、基地局からの無線信号の受信及び基地局への無線信号の送信を行う。
【００２５】
Ａ／Ｄ変換部１３は、音声信号をデジタルデータに変換する。キー入出力部１４は、本移動局へのキー入力を検出し、中央制御部１０に通知する。音声入出力部１５は、本移動局への音声入力（送話音声）を電気信号（送話音声信号）に変換するマイクロホンと、電気信号（受話電気信号）を音声（受話音声）に変換して発音するレシーバとからなる。記憶部１６は、中央制御部１０が本移動局を制御するのに必要なプログラムデータ及びＡ／Ｄ変換部１３が出力したデジタルデータの書き込み、読み出しを行う。
【００２６】
次に、図１の電子交換機の動作を図３に示すフローチャートを使用して説明する。図１において、移動局７Ａが移動局７Ｂに着信しようとした場合、移動局７Ａからの呼接続要求信号が基地局６及びスイッチ部１を介してＣＰＵ２に供給され、それに基づいて、ＣＰＵ２が着信側の移動局７Ｂと接続しようとするが、移動局７Ｂが圏外又は電源オフなどの理由により、移動局７Ｂと無線通信する基地局が存在しないものとすると、移動局７Ｂが着信不可であることをＣＰＵ２が検出する（ステップＳ１）。
【００２７】
このとき、ＣＰＵ２は、既存の留守番電話サービスを利用し、発信側の移動局７Ａを基地局６及びスイッチ部１を介して音声蓄積装置４と接続し（ステップＳ２）、音声蓄積装置４を制御して着信不可を通知及びメッセージを受け付けるためのガイダンスを読み出して、スイッチ部１及び基地局６を介して移動局７Ａへ送信する。この着信不可及びメッセージ受付のガイダンスを受信した移動局７Ａは、これに応答してメッセージを送信し、そのメッセージは、基地局６及びスイッチ部１を介して音声蓄積装置４に登録される（ステップＳ３）。
【００２８】
次に、ＣＰＵ２は、移動局７Ａに対応する加入者Ａの加入者データを記憶装置３から読み出す。この加入者データにはこの加入者Ａの電話番号と電子メールアドレスが含まれているものとする（ステップＳ４）。ＣＰＵ２は、記憶装置３から読み出した上記の加入者データをスイッチ部１を介してＤ／Ａ変換装置５に供給し、ここでデジタルデータである移動局７Ａの電話番号と電子メールアドレスを示す加入者データをアナログ信号である音声信号に変換する（ステップＳ５）。
【００２９】
ＣＰＵ２は続いて、スイッチ部１を制御してＤ／Ａ変換装置５から出力された上記の音声信号が、スイッチ部１を経由して音声蓄積装置４に供給されるように接続し（ステップＳ６）、Ｄ／Ａ変換装置５から出力されたアナログ音声信号（音声信号に変換された加入者Ａの電話番号と電子メールアドレス）を、上記のステップＳ３で登録したメッセージの末尾に追加するように蓄積させる（ステップＳ７）。
【００３０】
次に、移動局７Ｂが自分宛てのメッセージを読み出す場合の動作を、図１、図２のブロック図及び図４に示すフローチャートを使用して説明する。移動局７Ｂの操作者がメッセージ読み出しのためのキー操作を行った場合、図２のキー入出力部１４はこれを検出し、中央制御部１０に通知する（ステップＳ１０）。図２の中央制御部１０は、呼処理部１１及び無線送受信部１２を駆使してメッセージ読み出し要求を無線送信する（ステップＳ１１）。
【００３１】
上記のメッセージ読み出し要求は基地局６で受信された後、スイッチ部１経由でＣＰＵ２に供給される。すると、ＣＰＵ２は、スイッチ部１を介して音声蓄積装置４を制御して、移動局７Ｂ宛ての該当メッセージと、そのメッセージの末尾に追加されているアナログ音声信号に変換された発信側移動局７Ａの電話番号と電子メールアドレスを読み出し、それをスイッチ部１及び基地局６を介して移動局７Ｂに無線送信する。
【００３２】
移動局７Ｂは、図２の無線送受信部１２により基地局６からの上記のメッセージ及び発信側移動局７Ａの電話番号と電子メールアドレスを示す音声信号を受信する。移動局７Ｂの図２に示す中央制御部１０は、無線送受信部１２からの受信信号を検出すると、受信信号中の該当メッセージを音声入出力部１５によって音声として発音出力させると同時に、Ａ／Ｄ変換部１３に入力する（ステップＳ１２）。Ａ／Ｄ変換部１３は、受信メッセージの末尾に付加されている電話番号及び電子メールアドレスを表すアナログ音声信号を検出してデジタルデータに変換する。移動局７Ｂの中央制御部１０は、このＡ／Ｄ変換部１３からのデジタルデータを記憶部１６に登録する（ステップＳ１３）。
【００３３】
このように、本実施の形態では、交換機が発信側移動局７Ａの電子メールアドレスを音声信号化して着信側移動局７Ｂに通知しているので、移動局７Ａの操作者が着信側の移動局７Ｂの電子メールアドレスが分からなくても、発信側の移動局７Ａの電子メールアドレスを通知することができる。また、本実施の形態では、記憶部１６への電子メールアドレスの登録を自動化しているので、音声ガイダンスを聞き取って手入力で電子メールアドレスを取得する場合に比べて、手入力による誤りを回避できる。更に、本実施の形態では、既存の留守番電話サービスを利用しているので、実施例の実現が比較的容易である。
【００３４】
次に、本発明の他の実施の形態について説明する。図５は本発明になる交換機の他の実施の形態を含む音声通信網の一例を示す。同図中、図１と同一構成部分には同一符号を付し、その説明を省略する。図５の実施の形態の基本的構成は図１の実施の形態と同様であるが、メールアドレス通知契機について更に工夫している。
【００３５】
図５の実施の形態では、会議装置９は２者以上の音声通話をミキシングすることにより、会議通話を実現する。本構成により、通話中におけるメールアドレス通知を実現する。すなわち、図５において、移動局７Ａと移動局７Ｂとは基地局６の無線ゾーン内にいずれも在圏しており（勿論、これに限らず、互いに異なる基地局の無線ゾーンに在圏していてもよい）、移動局７Ａが移動局７Ｂに発信する際、特番を付加してダイヤルするとする。  この特番を付加したダイヤル信号は、移動局７Ａから基地局６へ無線送信されて受信され、更にスイッチ部１を経由してＣＰＵ８に供給される。ＣＰＵ８はこの特番を付加したダイヤル信号を検出した場合は、従来と同様にして移動局Ａと移動局Ｂとの間の基地局６及び交換機を介しての通話路を確立するが、更に移動局７Ａと移動局７Ｂが通話成立した際、会議装置９にその呼を転送し、さらに会議装置９にスイッチ部１を介して音声蓄積装置４を接続する。会議装置９を使用する目的は、２者通話状態に更に音声変換したデータを送信するために音声蓄積装置４を接続するためである。
【００３６】
次に、ＣＰＵ８は、図１の実施の形態と同様にして、音声信号に変換された発信側移動局７Ａの電話番号と電子メールアドレス情報を生成して音声蓄積装置４に蓄積する。この後ＣＰＵ８は音声蓄積装置４を制御して、必要に応じて（例えば、移動局７Ｂの応答の直後に）メールアドレス通知のガイダンスを行い、音声信号に変換された発信側移動局７Ａの電話番号と電子メールアドレス情報を着信側移動局７Ｂへ通知する。
【００３７】
これにより、着信側移動局７Ｂでは、例えば、「ただいまから移動局７Ａからの電子メールアドレスの送信を行います。送信後、通話が可能になりますので暫くお待ち下さい。」というガイダンス音の後、会議装置９と音声蓄積装置４を使用して音声変換したデータを移動局７Ｂに送信する。データ送信の間、移動局７Ｂは保留音を流し、データ送信が完了したら、「送信が完了しました。」というガイダンス音を流す。その後、会議装置９から音声蓄積装置４を開放し、通常の２者通話が開始される。
【００３８】
このように、本実施の形態では、通話中での通知を実現しているので、留守番電話サービスを用いなくても、電子メールアドレスや電話番号の通知が実施可能という効果が得られる。
【００３９】
なお、本発明は以上の実施の形態に限定されるものではなく、例えば、交換機において図３に示すフローチャートが示す各手順を実行させるコンピュータプログラムも包含するものであり、また、移動局７Ａ、７Ｂにおいて、図４に示すフローチャートが示す各手順を実行させるコンピュータプログラムも包含するものである。また、以上の実施の形態では、移動局７Ａと７Ｂとの間の通信を行わせるための交換機について説明したが、固定電話機との通話のための交換機にも適用可能である。
【００４０】
また、移動局等の端末から自分のメールアドレス及び／又は電話番号を送信するようにすることも可能である。ただし、この場合は、通話開始直前にガイダンスでメールアドレス及び／又は電話番号の送信を通知し、その送信期間中は保留音を相手端末に聞かせるなどの方法をとることが望ましい。また、通知する端末情報は、電子メールアドレス及び電話番号のどちらか一方でもよいし、それらに更に加入者名など他の情報を追加することも可能である。
【図面の簡単な説明】
【００４１】
【図１】本発明の交換機の一実施の形態を含む音声通信網の一例を示す図である。
【図２】移動局の一実施の形態のブロック図である。
【図３】図１の電子交換機の動作を説明するフローチャートである。
【図４】移動局が自分宛てのメッセージを読み出す場合の動作を説明するフローチャートである。
【図５】本発明の交換機の他の実施の形態を含む音声通信網の一例を示す図である。
【符号の説明】
【００４２】
１  スイッチ部
２、８  中央処理装置（ＣＰＵ）
３  記憶装置
４  音声蓄積装置
５  Ｄ／Ａ変換装置
６  基地局
７Ａ、７Ｂ  移動局
９  移動局
【図１】
2007259086.tif 000003
【図２】
2007259086.tif 000004
【図３】
2007259086.tif 000005
【図４】
2007259086.tif 000006
【図５】
2007259086.tif 000007